(57)【要約】【課題】物流機材（パレット１）の使用や紛失等の状況に連動した借用料金を算出できる物流機材管理システムにおける借用料金配分算出システムを提供する。【解決手段】物流機材管理システム貸し出し会社５０に設けられたサーバー５１と、複数の物流機材管理システム借用会社１０のうちのＡ社に設けられ、パレット１の借用数および返却数の各データが入力され、該データをインターネット４を介してサーバー５１に送信する在庫管理端末３とを有し、前記サーバー５１は、前記複数の管理システム借用会社１０（Ａ，Ｂ，Ｃ社）のパレット１の在庫数を管理するとともに、所定期間内に、前記パレット１の在庫数と、前記在庫管理端末３から送信されるパレット１の借用数、返却数の各データに基づいて、前記複数の管理システム借用会社１０（Ａ，Ｂ，Ｃ社）における、前記物流機材管理システムの借用料金配分を各々算出する演算手段を備える。【選択図】図１
2008242695.tif 000002
【特許請求の範囲】
【請求項１】
物流機材の在庫数および使用数の管理を行う物流機材管理システムを貸し出す物流機材管理システム貸し出し手段と、物流機材を貸し出す物流機材貸し出し側管理手段および物流機材を借用する物流機材借用側管理手段とを有し、前記物流機材管理システムを借用する複数の物流機材管理システム借用手段が、前記物流機材管理システムの貸借契約を結んでおり、前記物流機材は前記複数の物流機材管理システム借用手段間で流通している、物流機材の管理システムにおいて、
前記物流機材管理システム貸し出し手段に設けられたシステム貸し出し側コンピュータと、
前記物流機材管理システム借用手段に設けられ、物流機材の借用数および返却数の各データが入力される入力手段と、該入力されたデータを所定の通信手段を介して前記システム貸し出し側コンピュータに送信するシステム借用側コンピュータとを有し、
前記システム貸し出し側コンピュータは、前記複数の物流機材管理システム借用手段の物流機材の在庫数を管理するとともに、所定の第１の期間が順次複数累積された第２の期間内に、前記物流機材の在庫数と、前記システム借用側コンピュータから送信される物流機材の借用数、返却数の各データに基づいて、複数の物流機材管理システム借用手段における、前記物流機材管理システムの借用料金配分を各々算出する演算手段を備えていることを特徴とする物流機材管理システムにおける借用料金配分算出システム。
【請求項２】
物流機材の個数を計数する個数検出手段を備え、前記物流機材管理システム借用手段の入力手段は、前記個数検出手段によって計数された物流機材の個数に基づいて前記借用数および返却数の各データを入力することを特徴とする請求項１に記載の物流機材管理システムにおける借用料金配分算出システム。
【請求項３】
前記演算手段は、前記物流機材借用側管理手段又は前記物流機材貸し出し側管理手段における、前記累積数ｎ−１（ｎは２以上の正数）番目の第１の期間の最終在庫数と、前記物流機材借用側管理手段における前記累積数ｎ番目の第１の期間の借用数又は前記物流機材貸し出し側管理手段における前記累積数ｎ番目の第１の期間の返却数とを加算して、累積数ｎ番目の第１の期間におけるカウント数とし、
前記カウント数を前記第２の期間分積算して、前記複数の物流機材管理システム借用手段のうちいずれか１つの物流機材管理システム借用手段の累積カウント数とし、
前記累積カウント数と、前記複数の物流機材管理システム借用手段すべての累積カウント数の合計値とに基づいて物流機材管理システムの借用料金配分を算出することを特徴とする請求項１又は２に記載の物流機材管理システムにおける借用料金配分算出システム。
【請求項４】
前記物流機材貸し出し側管理手段は、物流機材を貸し出す予備在庫用物流機材貸し出し管理手段を所有し、
前記予備在庫用物流機材貸し出し管理手段は、物流機材の借用数および返却数の各データが入力される入力手段と、該入力されたデータを所定の通信手段を介して前記システム貸し出し側コンピュータに送信するシステム借用側コンピュータとを備え、
前記演算手段は、前記物流機材借用側管理手段における前記累積数ｎ−１（ｎは２以上の正数）番目の第１の期間の最終在庫、又は前記予備在庫用物流機材貸し出し管理手段を除く前記物流機材貸し出し側管理手段における前記累積数ｎ−１番目の第１の期間の最終在庫と、前記物流機材借用側管理手段における前記累積数ｎ番目の第１の期間の借用数又は、前記予備在庫用物流機材貸し出し管理手段を除く前記物流機材貸し出し側管理手段における前記累積数ｎ番目の第１の期間の返却数とを加算して、累積数ｎ番目の第１の期間におけるカウント数とし、
前記カウント数を前記第２の期間分積算して、前記複数の物流機材管理システム借用手段のうちいずれか１つの物流機材管理システム借用手段の累積カウント数とし、
前記累積カウント数と、前記複数の物流機材管理システム借用手段すべての累積カウント数の合計値とに基づいて物流機材管理システムの借用料金配分を算出することを特徴とする請求項１ないし３のうちいずれか１項に記載の物流機材管理システムにおける借用料金配分算出システム。
【請求項５】
物流機材の在庫数および使用数の管理を行う物流機材管理システムを貸し出す物流機材管理システム貸し出し手段と、物流機材を貸し出す物流機材貸し出し側管理手段および物流機材を借用する物流機材借用側管理手段とを有し、前記物流機材管理システムを借用する複数の物流機材管理システム借用手段が、前記物流機材管理システムの貸借契約を結んでおり、前記物流機材は前記複数の物流機材管理システム借用手段間で流通しており、前記物流機材管理システム貸し出し手段に設けられ、前記複数の物流機材管理システム借用手段の物流機材の在庫数を管理する機能を有したシステム貸し出し側コンピュータと、前記物流機材管理システム借用手段に設けられ、物流機材の借用数および返却数の各データが入力される入力手段と、該入力されたデータを所定の通信手段を介して前記システム貸し出し側コンピュータに送信するシステム借用側コンピュータとを有した物流機材の管理システムにおいて、
前記システム借用側コンピュータが、該コンピュータに入力された借用数および返却数の各データを前記システム貸し出し側コンピュータに送信するステップと、
前記システム貸し出し側コンピュータが、所定の第１の期間が順次複数累積された第２の期間内に、前記物流機材の在庫数と、前記システム借用側コンピュータから送信される物流機材の借用数、返却数の各データに基づいて、複数の物流機材管理システム借用手段における、前記物流機材管理システムの借用料金配分を各々算出する演算ステップと
を備えていることを特徴とする物流機材管理システムにおける借用料金配分算出方法。
【請求項６】
前記物流機材管理システム借用手段は物流機材の個数を計数する個数検出手段を備え、
前記物流機材管理システム借用手段の入力手段が、前記個数検出手段によって計数された物流機材の個数に基づいて、前記借用数および返却数の各データを、前記システム借用側コンピュータに入力するステップを備えていることを特徴とする請求項５に記載の物流機材管理システムにおける借用料金配分算出方法。
【請求項７】
前記演算ステップは、前記物流機材借用側管理手段又は前記物流機材貸し出し側管理手段における、前記累積数ｎ−１（ｎは２以上の正数）番目の第１の期間の最終在庫数と、前記物流機材借用側管理手段における前記累積数ｎ番目の第１の期間の借用数又は前記物流機材貸し出し側管理手段における前記累積数ｎ番目の第１の期間の返却数とを加算して、累積数ｎ番目の第１の期間におけるカウント数とするステップと、
前記カウント数を前記第２の期間分積算して、前記複数の物流機材管理システム借用手段のうちいずれか１つの物流機材管理システム借用手段の累積カウント数とするステップと、
前記累積カウント数と、前記複数の物流機材管理システム借用手段すべての累積カウント数の合計値とに基づいて物流機材管理システムの借用料金配分を算出するステップと
を備えたことを特徴とする請求項５又は６に記載の物流機材管理システムにおける借用料金配分算出方法。
【請求項８】
前記物流機材の管理システムにおける、前記物流機材貸し出し側管理手段は、物流機材を貸し出す予備在庫用物流機材貸し出し管理手段を所有し、
前記予備在庫用物流機材貸し出し管理手段は、物流機材の借用数および返却数の各データが入力される入力手段と、該入力されたデータを所定の通信手段を介して前記システム貸し出し側コンピュータに送信するシステム借用側コンピュータとを備えており、
前記演算ステップは、前記物流機材借用側管理手段における前記累積数ｎ−１（ｎは２以上の正数）番目の第１の期間の最終在庫、又は前記予備在庫用物流機材貸し出し管理手段を除く前記物流機材貸し出し側管理手段における前記累積数ｎ−１番目の第１の期間の最終在庫と、前記物流機材借用側管理手段における前記累積数ｎ番目の第１の期間の借用数又は、前記予備在庫用物流機材貸し出し管理手段を除く前記物流機材貸し出し側管理手段における前記累積数ｎ番目の第１の期間の返却数とを加算して、累積数ｎ番目の第１の期間におけるカウント数とするステップと、
前記カウント数を前記第２の期間分積算して、前記複数の物流機材管理システム借用手段のうちいずれか１つの物流機材管理システム借用手段の累積カウント数とするステップと、
前記累積カウント数と、前記複数の物流機材管理システム借用手段すべての累積カウント数の合計値とに基づいて物流機材管理システムの借用料金配分を算出するステップとを備えたことを特徴とする請求項５ないし７のうちいずれか１項に記載の物流機材管理システムにおける借用料金配分算出方法。
【請求項９】
請求項５ないし８のうちいずれか１項に記載の借用料金配分算出方法の各ステップをコンピュータに実行させるためのプログラムとしたことを特徴とする物流機材管理システムにおける借用料金配分算出プログラム。
【発明の詳細な説明】
【技術分野】
【０００１】
本発明は、例えばパレット、容器、ＲＦＩＤ（Ｒａｄｉｏ  Ｆｒｅｑｕｅｎｃｙ  ＩＤ）タグ付の伝票などの物流機材の、在庫や移動の管理を行う物流機材管理システムにおける借用料金配分算出システム、借用料金配分算出方法および借用料金配分算出プログラムに関する。
【背景技術】
【０００２】
商品や部品等とともに複数の会社間で流通する物流機材、例えばパレットは、複数の会社が共同で購入し共同で使用する場合や、複数の会社のうちいずれかが購入しそれを貸し出して複数の会社で共同で使用する場合がある。
【０００３】
例えば前記パレットを購入し所有しているＡ社がＢ，Ｃ社にパレットを貸し出している場合、Ｂ，Ｃ社が借りたパレット枚数やＡ社に返却した枚数に基づく在庫数の管理は、自社用として在庫管理プログラムを作成すると高価であるため、例えば図９に示すような在庫管理システム会社が貸し出す在庫管理システム（プログラム）を利用していた。
【０００４】
図９において、在庫管理システム借用会社であるＡ社は、在庫管理システム会社が貸し出す在庫管理システム（プログラム）を利用してパレット１の在庫数量、移動数量を管理しており、その在庫管理システム使用料金は例えば定額の契約を結んでいる。
【０００５】
またＡ社は、例えば自社の製品のために部品２を発注しているＢ社、Ｃ社に、自社所有のパレット１を所定のレンタル料金で貸し出している。
【０００６】
まず図示（１）のようにＢ社、Ｃ社はＡ社からパレット１を借り出し、図示（２）のようにパレット１に部品２を載せてＡ社に納品する。Ａ社では図示（３）のように部品２を工場に納品し、空パレットは図示（４）のように空パレット置き場に在庫として置かれる。
【０００７】
３はＡ社に設置された在庫管理端末（コンピュータ）であり、パレット借用会社（Ｂ社、Ｃ社）の借用枚数、返却枚数等のデータを入力するキーボードなどの入力手段を備えており、該データが入力されると、それらデータを、インターネット４を介して接続された在庫管理システム会社のサーバー（コンピュータ）５に送信する。
【０００８】
サーバー５では、入力された前記各データに基づいて、Ａ，Ｂ，Ｃ各社の在庫データを計算し、そのデータを提示する。
【０００９】
上記Ａ社の在庫管理端末３および在庫管理システム会社のサーバー５の処理フローは図１０のとおりである。
【００１０】
図１０において、Ａ社の在庫管理端末３側ではまずステップＳ１１において初期設定を行った後データの入力待ちとなる（ステップＳ１２）。
【００１１】
次にステップＳ１３において、当該端末３に管理者又は運用者のうちいずれのＩＤが入力されたかを判定する。入力ＩＤが運用者である場合は、前記パレットの借用枚数、返却枚数等のデータが端末３の入力手段から入力され（ステップＳ１４）、そのデータを保存し（ステップＳ１５）、データ送信待ちとなる（ステップＳ１６）。また在庫管理端末３の画面モードは入力待ち（ステップＳ１２）となる。
【００１２】
次にステップＳ１７において、前記データをインターネット４を介してサーバー５に送信した後、送信チェックを行う（ステップＳ１８）。送信が完了した場合は前記ステップＳ１６に戻ってデータ送信待ちとなり、ＮＧの場合はステップＳ１７に戻って再度データを送信する。
【００１３】
この送信ＮＧ時は、例えば一定時間後再送信し、一定回数再送信し、その後もＮＧの場合は再送信を停止する。
【００１４】
前記ステップＳ１３において入力ＩＤが管理者のものである場合は、ステップＳ１９において初期設定画面か又はデータ閲覧画面のどちらが選択されたかを判定する。
【００１５】
管理者がデータ閲覧画面を選択した場合は、ステップＳ２０において、インターネット４を介してサーバー５のデータの閲覧が行われ、初期設定画面を選択した場合はステップＳ１１に戻る。
【００１６】
また在庫管理システム会社のサーバー５側ではまずステップＳ２１において初期設定が行われる。すなわち例えば在庫管理システム借用会社（Ａ社）の設置端末（３）の情報、Ａ，Ｂ，Ｃ社の初期在庫量、端末パスワード、端末作動許可人ＩＤ等を入力する。
【００１７】
次にステップＳ２２において、Ａ社の在庫管理端末３より送信されたデータが自動で入力される。この入力データには、例えば端末番号、借用会社（Ｂ社又はＣ社）、借用か返却かおよびそれらの枚数、登録日時等が含まれる。
【００１８】
次にステップＳ２３において在庫計算を行う。すなわち、現在の在庫データから、入力されたデータを加減算して新在庫データに置き換える。
【００１９】
次にステップＳ２４において各拠点（Ａ，Ｂ，Ｃ各社）の在庫値を保存した後、ステップＳ２２にもどる。
【００２０】
尚パレット等の物流機材の従来の管理システムとしては、例えば下記特許文献１，２に記載のものが提案されていた。
【特許文献１】特開２００３−３６４０５号公報
【特許文献２】特開２００３−１１９７３号公報
【発明の開示】
【発明が解決しようとする課題】
【００２１】
前記図９、図１０に示す在庫管理システムは、コンピュータ（サーバー５）のプログラム（在庫管理システム）が物流機材（パレット）の移動から、各拠点の在庫を計算するようになっており、実際の在庫と乖離があっても、それを防止する活動の為の数値を計算するようになっていない。
【００２２】
また、Ｂ社、Ｃ社は物流機材がＡ社の所有であるため管理の責任感が薄く、物流機材の移動をきちんと入力しなくても誤った在庫が計算されるだけなので、入力がいい加減になりがちである。
【００２３】
物流が複雑化したため、Ｂ社、Ｃ社とＡ社との間の輸送会社（図示省略）が１社だけでなくなったり、輸送会社の拠点で積み替えたりするようになり、パレットが紛失する機会が増えてきた。
【００２４】
またＢ社とＣ社の物流がある場合もあり、Ａ社が自社の物流機材を移動管理するだけの機能では正確さに限界が出てきており、正確な数値を捉えられなくなっている。
【００２５】
また在庫管理システムを借用しその借用料金を払っているのはＡ社であるため、Ｂ社、Ｃ社の在庫管理意識が低く、管理がずさんになる可能性が高い。また仮に、物流機材（パレット）を借りているＢ社、Ｃ社にも在庫管理システム（プログラム）の借用料金を負担してもらう場合でも、パレットの使用や紛失などの状況に連動した在庫管理システムの借用料金を算出するプログラム、方法が確立されていないので、前記パレットの状況に応じた正確な（妥当な）借用料金を負担してもらうことは難しいものであった。
【００２６】
本発明は上記課題を解決するものであり、例えばパレットのような物流機材の在庫管理システムを複数の会社間で借用する場合に、物流機材の使用や紛失等の状況に連動した借用料金を算出することができる物流機材管理システムにおける借用料金配分算出システム、借用料金配分算出方法および借用料金配分算出プログラムを提供することを目的としている。
【課題を解決するための手段】
【００２７】
上記課題を解決するための請求項１に記載の物流機材管理システムにおける借用料金配分算出システムは、物流機材の在庫数および使用数の管理を行う物流機材管理システムを貸し出す物流機材管理システム貸し出し手段と、物流機材を貸し出す物流機材貸し出し側管理手段および物流機材を借用する物流機材借用側管理手段とを有し、前記物流機材管理システムを借用する複数の物流機材管理システム借用手段が、前記物流機材管理システムの貸借契約を結んでおり、前記物流機材は前記複数の物流機材管理システム借用手段間で流通している、物流機材の管理システムにおいて、前記物流機材管理システム貸し出し手段に設けられたシステム貸し出し側コンピュータと、前記物流機材管理システム借用手段に設けられ、物流機材の借用数および返却数の各データが入力される入力手段と、該入力されたデータを所定の通信手段を介して前記システム貸し出し側コンピュータに送信するシステム借用側コンピュータとを有し、前記システム貸し出し側コンピュータは、前記複数の物流機材管理システム借用手段の物流機材の在庫数を管理するとともに、所定の第１の期間が順次複数累積された第２の期間内に、前記物流機材の在庫数と、前記システム借用側コンピュータから送信される物流機材の借用数、返却数の各データに基づいて、複数の物流機材管理システム借用手段における、前記物流機材管理システムの借用料金配分を各々算出する演算手段を備えていることを特徴としている。
【００２８】
また請求項５に記載の物流機材管理システムにおける借用料金配分算出方法は、物流機材の在庫数および使用数の管理を行う物流機材管理システムを貸し出す物流機材管理システム貸し出し手段と、物流機材を貸し出す物流機材貸し出し側管理手段および物流機材を借用する物流機材借用側管理手段とを有し、前記物流機材管理システムを借用する複数の物流機材管理システム借用手段が、前記物流機材管理システムの貸借契約を結んでおり、前記物流機材は前記複数の物流機材管理システム借用手段間で流通しており、前記物流機材管理システム貸し出し手段に設けられ、前記複数の物流機材管理システム借用手段の物流機材の在庫数を管理する機能を有したシステム貸し出し側コンピュータと、前記物流機材管理システム借用手段に設けられ、物流機材の借用数および返却数の各データが入力される入力手段と、該入力されたデータを所定の通信手段を介して前記システム貸し出し側コンピュータに送信するシステム借用側コンピュータとを有した物流機材の管理システムにおいて、前記システム借用側コンピュータが、該コンピュータに入力された借用数および返却数の各データを前記システム貸し出し側コンピュータに送信するステップと、前記システム貸し出し側コンピュータが、所定の第１の期間が順次複数累積された第２の期間内に、前記物流機材の在庫数と、前記システム借用側コンピュータから送信される物流機材の借用数、返却数の各データに基づいて、複数の物流機材管理システム借用手段における、前記物流機材管理システムの借用料金配分を各々算出する演算ステップとを備えていることを特徴としている。
【００２９】
前記物流機材管理システム貸し出し手段が貸し出す物流機材管理システムは、該管理システムの借用契約を結んでいる複数の物流機材管理システム借用手段における、在庫数、使用数（借用数、返却数等）をコンピュータ等により管理するプログラム（システム）として構築され、その物流機材管理システム（プログラム）の使用に対する対価として、借用料金が発生する。
【００３０】
したがって前記物流機材管理システムの賃貸契約を結ぶことで、物流機材管理システム貸し出し手段側としてはそのシステムを貸し出していることになり、物流機材管理システム借用手段側としてはそのシステムを借用していることになる。
【００３１】
そして物流機材管理システム貸し出し手段に設けられた本発明のシステム貸し出し側コンピュータの演算手段は、前記物流機材管理システムの借用料金配分を算出するものである。
【００３２】
上記構成によれば、システム借用側コンピュータから送信される物流機材の借用数、返却数の各データに基づいて、システム貸し出し側コンピュータの演算手段又は演算ステップによって、複数の物流機材管理システム借用手段における、物流機材管理システムの借用料金配分が自動的に算出される。
【００３３】
このため前記在庫数、借用数、返却数が各物流機材管理システム借用手段における物流機材管理システムの借用料金に直結するため、物流機材管理システム借用手段、特に物流機材借用側管理手段における物流機材の不正確な管理を抑止する力となる。
【００３４】
また請求項２に記載の物流機材管理システムにおける借用料金配分算出システムは、請求項１において、物流機材の個数を計数する個数検出手段を備え、前記物流機材管理システム借用手段の入力手段は、前記個数検出手段によって計数された物流機材の個数に基づいて前記借用数および返却数の各データを入力することを特徴としている。
【００３５】
また請求項６に記載の物流機材管理システムにおける借用料金配分算出方法は、請求項５において、前記物流機材管理システム借用手段は物流機材の個数を計数する個数検出手段を備え、前記物流機材管理システム借用手段の入力手段が、前記個数検出手段によって計数された物流機材の個数に基づいて、前記借用数および返却数の各データを、前記システム借用側コンピュータに入力するステップを備えていることを特徴としている。
【００３６】
上記構成によれば、物流機材の借用数および返却数の各データを自動的に入力することができ、これによって人為的入力ミス等が無くなり、正確なデータを入力することができる。
【００３７】
また請求項３に記載の物流機材管理システムにおける借用料金配分算出システムは、請求項１又は２において、前記演算手段は、前記物流機材借用側管理手段又は前記物流機材貸し出し側管理手段における、前記累積数ｎ−１（ｎは２以上の正数）番目の第１の期間の最終在庫数と、前記物流機材借用側管理手段における前記累積数ｎ番目の第１の期間の借用数又は前記物流機材貸し出し側管理手段における前記累積数ｎ番目の第１の期間の返却数とを加算して、累積数ｎ番目の第１の期間におけるカウント数とし、前記カウント数を前記第２の期間分積算して、前記複数の物流機材管理システム借用手段のうちいずれか１つの物流機材管理システム借用手段の累積カウント数とし、前記累積カウント数と、前記複数の物流機材管理システム借用手段すべての累積カウント数の合計値とに基づいて物流機材管理システムの借用料金配分を算出することを特徴としている。
【００３８】
また請求項７に記載の物流機材管理システムにおける借用料金配分算出方法は、請求項５又は６において、前記演算ステップは、前記物流機材借用側管理手段又は前記物流機材貸し出し側管理手段における、前記累積数ｎ−１（ｎは２以上の正数）番目の第１の期間の最終在庫数と、前記物流機材借用側管理手段における前記累積数ｎ番目の第１の期間の借用数又は前記物流機材貸し出し側管理手段における前記累積数ｎ番目の第１の期間の返却数とを加算して、累積数ｎ番目の第１の期間におけるカウント数とするステップと、前記カウント数を前記第２の期間分積算して、前記複数の物流機材管理システム借用手段のうちいずれか１つの物流機材管理システム借用手段の累積カウント数とするステップと、前記累積カウント数と、前記複数の物流機材管理システム借用手段すべての累積カウント数の合計値とに基づいて物流機材管理システムの借用料金配分を算出するステップとを備えたことを特徴としている。
【００３９】
上記構成によれば、例えば紛失により、物流機材借用側管理手段の物流機材の借用数よりも返却数が１個少ないとすると、累積数ｎ−１番目の第１の期間、例えば前日の最終在庫は実在庫数よりも１個多くなる。このためこれに累積数ｎ番目の第１の期間、例えば当日の借用数が加算されるため、実在庫数に当日の借用数を加算した場合に較べてカウント数が多くなり、その分だけ物流機材管理システムの借用料金配分が多くなる。
【００４０】
したがって物流機材の紛失や貸し出し管理を正確に行わないと物流機材管理システムの借用料金配分が増えることが明確になり、物流機材の紛失防止および正確な管理を喚起することができる。
【００４１】
また請求項４に記載の物流機材管理システムにおける借用料金配分算出システムは、請求項１ないし３のうちいずれか１項において、前記物流機材貸し出し側管理手段は、物流機材を貸し出す予備在庫用物流機材貸し出し管理手段を所有し、前記予備在庫用物流機材貸し出し管理手段は、物流機材の借用数および返却数の各データが入力される入力手段と、該入力されたデータを所定の通信手段を介して前記システム貸し出し側コンピュータに送信するシステム借用側コンピュータとを備え、前記演算手段は、前記物流機材借用側管理手段における前記累積数ｎ−１（ｎは２以上の正数）番目の第１の期間の最終在庫、又は前記予備在庫用物流機材貸し出し管理手段を除く前記物流機材貸し出し側管理手段における前記累積数ｎ−１番目の第１の期間の最終在庫と、前記物流機材借用側管理手段における前記累積数ｎ番目の第１の期間の借用数又は、前記予備在庫用物流機材貸し出し管理手段を除く前記物流機材貸し出し側管理手段における前記累積数ｎ番目の第１の期間の返却数とを加算して、累積数ｎ番目の第１の期間におけるカウント数とし、前記カウント数を前記第２の期間分積算して、前記複数の物流機材管理システム借用手段のうちいずれか１つの物流機材管理システム借用手段の累積カウント数とし、前記累積カウント数と、前記複数の物流機材管理システム借用手段すべての累積カウント数の合計値とに基づいて物流機材管理システムの借用料金配分を算出することを特徴としている。
【００４２】
また請求項８に記載の物流機材管理システムにおける借用料金配分算出方法は、請求項５ないし７のうちいずれか１項において、前記物流機材の管理システムにおける、前記物流機材貸し出し側管理手段は、物流機材を貸し出す予備在庫用物流機材貸し出し管理手段を所有し、前記予備在庫用物流機材貸し出し管理手段は、物流機材の借用数および返却数の各データが入力される入力手段と、該入力されたデータを所定の通信手段を介して前記システム貸し出し側コンピュータに送信するシステム借用側コンピュータとを備えており、前記演算ステップは、前記物流機材借用側管理手段における前記累積数ｎ−１（ｎは２以上の正数）番目の第１の期間の最終在庫、又は前記予備在庫用物流機材貸し出し管理手段を除く前記物流機材貸し出し側管理手段における前記累積数ｎ−１番目の第１の期間の最終在庫と、前記物流機材借用側管理手段における前記累積数ｎ番目の第１の期間の借用数又は、前記予備在庫用物流機材貸し出し管理手段を除く前記物流機材貸し出し側管理手段における前記累積数ｎ番目の第１の期間の返却数とを加算して、累積数ｎ番目の第１の期間におけるカウント数とするステップと、前記カウント数を前記第２の期間分積算して、前記複数の物流機材管理システム借用手段のうちいずれか１つの物流機材管理システム借用手段の累積カウント数とするステップと、前記累積カウント数と、前記複数の物流機材管理システム借用手段すべての累積カウント数の合計値とに基づいて物流機材管理システムの借用料金配分を算出するステップとを備えたことを特徴としている。
【００４３】
上記構成によれば、予備在庫用物流機材貸し出し管理手段における物流機材の在庫数および返却数のデータは物流機材管理システム貸し出し手段に設けられたシステム貸し出し側コンピュータに送信されるため、その個数は、その他の物流機材管理システム借用手段の在庫数、借用数、返却数の各データとともに前記システム貸し出し側コンピュータにより把握される。
【００４４】
ただし、前記システム貸し出し側コンピュータの演算手段又は演算ステップは、予備在庫用物流機材貸し出し管理手段における物流機材の貸し出し数、返却数および在庫数のデータは求めるが、前記カウント数および累積カウント数は算出しないので、予備在庫用物流機材貸し出し管理手段における物流機材管理システムの借用料金配分は発生しない。
【００４５】
このため、物流機材貸し出し側管理手段が、自身の所有する予備在庫用物流機材貸し出し管理手段に、使用数変動に対応するための予備分としての在庫を登録しておくことにより、物流機材貸し出し側管理手段は、全体としては予備分を含めた余裕のある在庫数を確保することができる。また予備としての在庫分に物流機材管理システムの借用料金配分は発生しないため、予備としての在庫分の前記借用料金まで負担してしまうことはなくなる。
【００４６】
また請求項９に記載の物流機材管理システムにおける借用料金配分算出プログラムは、請求項５ないし８のうちいずれか１項に記載の借用料金配分算出方法の各ステップをコンピュータに実行させるためのプログラムとしたことを特徴としている。
【発明の効果】
【００４７】
（１）請求項１〜９に記載の発明によれば、複数の物流機材管理システム借用手段における、物流機材管理システムの借用料金配分が自動的に算出される。このため前記在庫数、借用数、返却数が各物流機材管理システム借用手段における物流機材管理システムの借用料金に直結するため、物流機材管理システム借用手段、特に物流機材借用側管理手段における物流機材の不正確な管理を抑止する力となる。
（２）また請求項２，６に記載の発明によれば、物流機材の借用数および返却数の各データを自動的に入力することができ、これによって人為的入力ミス等が無くなり、正確なデータを入力することができる。
（３）また請求項３、７に記載の発明によれば、物流機材の紛失や貸し出し管理を正確に行わないと物流機材管理システムの借用料金配分が増えることが明確になり、物流機材の紛失防止および正確な管理を喚起することができる。
（４）また請求項４、８に記載の発明によれば、物流機材貸し出し側管理手段が、自身の所有する予備在庫用物流機材貸し出し管理手段に、使用数変動に対応するための予備分としての在庫を登録しておくことにより、物流機材貸し出し側管理手段は、全体としては予備分を含めた余裕のある在庫数を確保することができる。また予備としての在庫分に物流機材管理システムの借用料金配分は発生しないため、予備としての在庫分の前記借用料金まで負担してしまうことはなくなる。
【発明を実施するための最良の形態】
【００４８】
以下、図面を参照しながら本発明の実施の形態を説明するが、本発明は下記の実施形態例に限定されるものではない。
【００４９】
（実施例１）
図１は本発明の実施例１の全体を示す構成図であり、図９と同一部分は同一符号をもって示している。図１において５０は、物流機材、本実施例ではパレット１の在庫数および使用数の管理を行う物流機材管理システム（プログラム）を貸し出す、管理システム貸し出し会社（本発明の物流機材管理システム貸し出し手段）である。
【００５０】
１０は、前記物流機材管理システムを借用する管理システム借用会社（本発明の物流機材管理システム借用手段）であり、パレット１を所有し貸し出しているＡ社、および該Ａ社からパレット１を所定のレンタル料金で借りているＢ社、Ｃ社が存在する。
【００５１】
したがって本実施例では、Ａ社が本発明の物流機材貸し出し側管理手段であり、Ｂ社、Ｃ社が本発明の物流機材借用側管理手段である。
【００５２】
管理システム借用会社１０のうち例えばＡ社は、管理システム貸し出し会社５０と物流機材管理システムの借用契約を結び、当該システムの使用量に応じた借用料金を支払う。Ｂ社、Ｃ社は、Ａ社から借り出したパレット１の使用量に応じ、Ａ社が管理システム貸し出し会社５０から請求される借用料金の分担分を負担する。
【００５３】
管理システム貸し出し会社５０は、物流機材管理システムの借用料金を、後述するようにパレット１の在庫数、使用数、返却数に応じて、使用や紛失等の状況に連動して算出する。
【００５４】
このため管理システム借用会社１０であるＡ，Ｂ，Ｃ各社における物流機材管理システムの借用料金配分が、前記状況に応じて確実に（妥当な借用料金配分に）算出される。
【００５５】
これによって、Ｂ社、Ｃ社がＡ社から借りたパレット１を紛失したり、Ａ社が貸し出し管理を正確に行わないと在庫量および後述する配分カウントが増え、前記借用料金配分が増加することになるので、紛失防止になるとともに、管理が正確に行われるようになる。
【００５６】
また、物流機材管理システムの借用契約をＡ社、Ｂ社、Ｃ社と管理システム貸し出し会社５０間で結び、Ａ社所有のパレット１を管理する前記システムの貸し出し費用の配分に応じ、管理システム貸し出し会社５０からＡ，Ｂ，Ｃ各社にそれぞれ費用請求する場合も、前記と同様の効果が得られる。
【００５７】
管理システム借用会社１０において、まず図示（１）のようにＢ社、Ｃ社はＡ社からパレット１を借り出し、図示（２）のようにパレット１に部品２を載せてＡ社に納品する。Ａ社では図示（３）のように部品２を工場に納品し、空パレットは図示（４）のように空パレット置き場に在庫として置かれる。
【００５８】
３はＡ社に設置された在庫管理端末（コンピュータ；本発明のシステム借用側コンピュータ）であり、パレット借用会社（Ｂ社、Ｃ社）の借用枚数、返却枚数等のデータを入力するキーボードなどの入力手段を備えており、該データが入力されると、それらデータを、インターネット４を介して接続された管理システム貸し出し会社５０のサーバー（コンピュータ；本発明のシステム貸し出し側コンピュータ）５１に送信する。
【００５９】
このサーバー５１は、入力された前記各データに基づいて、Ａ，Ｂ，Ｃ各社のパレット１の在庫数量、移動数量のデータを管理するとともに、管理システム借用会社１０のＡ，Ｂ，Ｃ各社における、物流機材管理システムの借用料金配分を各々算出する演算手段（コンピュータ）を備えている。
【００６０】
上記Ａ社の在庫管理端末３および管理システム貸し出し会社５０のサーバー５１の処理フローは図２のとおりである。
【００６１】
図２において、Ａ社の在庫管理端末３側ではまずステップＳ３１において初期設定を行った後データの入力待ちとなる（ステップＳ３２）。
【００６２】
次にステップＳ３３において、当該端末３に管理者又は運用者のうちいずれのＩＤが入力されたかを判定する。入力ＩＤが運用者である場合は、前記パレットの借用枚数、返却枚数等のデータが端末３の入力手段から入力され（ステップＳ３４）、そのデータを保存し（ステップＳ３５）、入力画面は入力待ち（ステップＳ３２）になり、データはデータ送信待ちとなる（ステップＳ３６）。
【００６３】
次にステップＳ３７において、前記データをインターネット４を介してサーバー５１に送信した後、送信チェックを行う（ステップＳ３８）。送信が完了した場合は前記ステップＳ３６に戻ってデータ送信待ちとなり、ＮＧの場合はステップＳ３７に戻って再度データを送信する。
【００６４】
この送信ＮＧ時は、例えば一定時間後再送信し、一定回数再送信し、その後もＮＧの場合は再送信を停止する。
【００６５】
前記ステップＳ３３において入力ＩＤが管理者のものである場合は、ステップＳ３９において初期設定画面か又はデータ閲覧画面のどちらが選択されたかを判定する。
【００６６】
管理者がデータ閲覧画面を選択した場合は、ステップＳ４０において、インターネット４を介してサーバー５１のデータの閲覧が行われ、初期設定画面を選択した場合はステップＳ３１に戻る。
【００６７】
また管理システム貸し出し会社５０のサーバー５１側ではまずステップＳ５１において初期設定が行われる。すなわち例えば管理システム借用会社（Ａ社）の設置端末（３）の情報、Ａ，Ｂ，Ｃ社の初期在庫量、端末パスワード、端末作動許可人ＩＤ等を入力する。
【００６８】
次にステップＳ５２において、Ａ社の在庫管理端末３より送信されたデータを入力する。この入力データには、例えば端末番号、借用会社（Ｂ社又はＣ社）、借用か返却かおよびそれらの枚数、登録日時等が含まれる。
【００６９】
次にステップＳ５３において在庫計算を行う。すなわち、現在の在庫データから、入力されたデータを加減算して新在庫データに置き換える。
【００７０】
次にステップＳ５４においてパレット１が各拠点、すなわちＡ社，Ｂ社間、又はＡ社、Ｃ社間で移動した量（Ａ社が貸し出した量、Ｂ社、Ｃ社が借用した量、Ｂ社、Ｃ社がＡ社に返却した量）の累積計算を行う。
【００７１】
次にステップＳ５５において、前記パレット１の移動量に基づいて使用カウント数（本発明のカウント数）を計算する。
【００７２】
この使用カウント数は、Ｂ社、Ｃ社がパレット１をＡ社から借用した枚数および、Ｂ社、Ｃ社からＡ社にパレット１が返却された枚数であり、前記在庫枚数とともに物流機材管理システム借用料金として反映されるものである。
【００７３】
次にステップＳ５６において、前記使用カウント数の累積計算とそのデータの保管が行われる。
【００７４】
次にステップＳ５７において、当日の締めとなったか否かを判定する。本実施例では本発明の第１の期間を１日としているため、１日が経過したか否かを判定する。例えば、夜中の１２時を１日の終わり時間とすれば（次の日の始まりでもある）、サーバー５１に内蔵された時計が夜中の１２時を過ぎれば、締めとなる。
【００７５】
当日の締めとなった場合は、ステップＳ５８において、当日の使用カウント数のデータを求めてそれを保管し、第１の期間の累積用初期値をクリアする。
【００７６】
ここで当日の使用カウント数は、
当日の使用カウント数＝前日（累積数ｎ−１（ｎは２以上の正数）番目の第１の期間）の最終在庫＋当日（累積数ｎ番目の第１の期間）中に使用されたカウント数…（１）
で算出される。
【００７７】
すなわちパレット借用側であるＢ社、Ｃ社の当日の使用カウント数は、
Ｂ社、Ｃ社の当日の使用カウント数＝同社の前日の最終在庫＋当日中にＡ社から借用したパレット枚数…（２）
で算出され、
またパレット貸し出し側であるＡ社の当日の使用カウント数は、
Ａ社の当日の使用カウント数＝同社の前日の最終在庫＋当日中にＢ社、Ｃ社から返却されたパレット枚数…（３）
で算出されるものである。ここでｎ＝１は在庫管理端末３を設置し契約がスタートする日であるので、ｎ＝１のときのｎ−１番目の最終在庫は管理システム貸し出し会社５０が初期値としてステップＳ５１時点で管理者が入力する。
【００７８】
次にステップＳ５９において、日別の前記データ（使用カウント数）を累積する。
【００７９】
次にステップＳ６０において、当月の締めとなったか否かを判定する。本実施例では本発明の第２の期間を１ヶ月としているため１ヶ月が経過したか否かを判定する。１ヶ月の締め日は費用請求の契約により定められるが、月末と決めれば月末を越えたときに、締めとなる。
【００８０】
当月の締めとなった場合はステップＳ６１においてＡ，Ｂ，Ｃ各社の前記使用カウント数の日別累積を合計して、Ａ，Ｂ，Ｃ各社毎の累積カウント数（第２の期間分の使用カウント数の合計値）を求める。
【００８１】
次にステップＳ６２において、Ａ，Ｂ，Ｃ各社の累積カウント数÷各社の累積カウント数の合計値を算出して物流機材管理システムの借用料金配分を求める。
【００８２】
次にステップＳ６３において、前記Ａ、Ｂ，Ｃ各社の借用料金配分データを保持する。
【００８３】
次にステップＳ６４において、累積カウントを初期値とした後前記ステップＳ５２に戻る。
【００８４】
尚前記ステップＳ５７において当日の締めではないと判定された場合およびステップＳ６０において当月の締めではないと判定された場合もステップＳ５２に戻る。
【００８５】
上記のような処理手順により求められる在庫数および使用カウント数の一例を、次の表１に示す。
【００８６】
【表１】
2008242695.tif 000003
【００８７】
表１はパレットを貸し出すＡ社と借用するＢ社のみのデータを示しており、まずＡ社が貸し出し用のパレットを１００枚購入（パレット製造メーカ等から購入）し、その１００枚が在庫として登録されたとする（サーバー５１が在庫データの初期値として設定する）。このためこの時点ではＡ社の在庫は１００枚、Ｂ社の在庫は０枚である。
【００８８】
次に１日目に、Ｂ社がＡ社からパレットを１０枚借りていくと、Ａ社の在庫は９０枚、Ｂ社の在庫は１０枚となり、カウント数はＢ社に「＋１０」が発生する。
【００８９】
次にその日のうちにＢ社が製品等を１０枚のパレットに載せてＡ社に納品し、パレット１０枚を返却すると、Ａ社の在庫は１００枚、Ｂ社の在庫は０枚となり、カウント数はＡ社に「＋１０」が発生する。
【００９０】
そしてその後当日の締めとなった場合、１日目の最終在庫はＡ社が１００枚、Ｂ社が０枚となる。またＡ社における１日目のカウント数は、前日の在庫数１００に当日のカウント数「１０」を加算した１１０となり、Ｂ社における１日目のカウント数は、前日の在庫数０に当日のカウント数「１０」を加算した１０となる。
【００９１】
次に２日目も１日目と同一のパレットの移動（借用、返却）があった場合、在庫数、カウント数も１日目と同一となる。
【００９２】
そしてこの２日分の累積カウントはＡ社が１１０×２＝２２０、Ｂ社が１０×２＝２０となる。
【００９３】
また１ヶ月を３０日とし、その３０日の間、前記１日目、２日目と同一のパレットの移動（借用、返却）があったとすると、３０日分の累積カウントは、Ａ社が１１０×３０＝３３００、Ｂ社が１０×３０＝３００となる。
【００９４】
したがって物流機材管理システムの借用料金配分（比率）は、Ａ社が３３００÷（３３００＋３００）＝９１．６６％、Ｂ社が３００÷（３３００＋３００）＝８．３３％となる（図２のステップＳ６２で算出される）。
【００９５】
この表１における借用料金配分は、毎日Ｂ社が１０枚借りて１０枚返却していることから、パレットの紛失が無い場合の借用料金配分である。
【００９６】
次にパレットの紛失が有る場合の在庫数および使用カウント数の一例を表２に示す。
【００９７】
【表２】
2008242695.tif 000004
【００９８】
この表２も前記表１と同様に、パレットを貸し出すＡ社と借用するＢ社のみのデータを示しており、まずＡ社が貸し出し用のパレットを１００枚購入（パレット製造メーカ等から購入）し、その１００枚が在庫として登録されたとする（サーバー５１が在庫データの初期値として設定する）。このためこの時点ではＡ社の在庫は１００枚、Ｂ社の在庫は０枚である。
【００９９】
次に１日目に、Ｂ社がＡ社からパレットを１０枚借りていくと、Ａ社の在庫は９０枚、Ｂ社の在庫は１０枚となり、カウント数はＢ社に「＋１０」が発生する。
【０１００】
次にその日のうちにＢ社が製品等を９枚のパレットに載せてＡ社に納品し、パレット９枚を返却すると、Ａ社の在庫は９９枚、Ｂ社の在庫は１枚となり、カウント数はＡ社に「＋９」が発生する。
【０１０１】
そしてその後当日の締めとなった場合、１日目の最終在庫はＡ社が９９枚、Ｂ社が１枚となる（１枚のＢ社紛失分が在庫となる）。またＡ社における１日目のカウント数は、前日の在庫数１００に当日のカウント数「９」を加算した１０９となり、Ｂ社における１日目のカウント数は、前日の在庫数０に当日のカウント数「１０」を加算した１０となる。
【０１０２】
次に２日目に、Ｂ社がＡ社からパレットを１０枚借りていくと、Ａ社の在庫は８９枚、Ｂ社の在庫は１１枚となり、カウント数はＢ社に「＋１０」が発生する。
【０１０３】
次にその日のうちにＢ社が製品等を９枚のパレットに載せてＡ社に納品し、パレット９枚を返却すると、Ａ社の在庫は９８枚、Ｂ社の在庫は２枚となり、カウント数はＡ社に「＋９」が発生する。
【０１０４】
そしてその後当日の締めとなった場合、２日目の最終在庫はＡ社が９８枚、Ｂ社が２枚となる（Ｂ社紛失分が在庫となる）。またＡ社における２日目のカウント数は、前日の在庫数９９に当日のカウント数「９」を加算した１０８となり、Ｂ社における２日目のカウント数は、前日の在庫数１に当日のカウント数「１０」を加算した１１となる。
【０１０５】
次に３日目に、Ｂ社がＡ社からパレットを１０枚借りていくと、Ａ社の在庫は８８枚、Ｂ社の在庫は１２枚となり、カウント数はＢ社に「＋１０」が発生する。
【０１０６】
次にその日のうちにＢ社が製品等を１０枚のパレットに載せてＡ社に納品し、パレット１０枚を返却すると（紛失なし）、Ａ社の在庫は９８枚、Ｂ社の在庫は２枚となり、カウント数はＡ社に「＋１０」が発生する。
【０１０７】
そしてその後当日の締めとなった場合、３日目の最終在庫はＡ社が９８枚、Ｂ社が２枚となる。またＡ社における３日目のカウント数は、前日の在庫数９８に当日のカウント数「１０」を加算した１０８となり、Ｂ社における３日目のカウント数は、前日の在庫数２に当日のカウント数「１０」を加算した１２となる。
【０１０８】
前記表２における１日目と２日目の２日分の累積カウントは、Ａ社が１０９＋１０８＝２１７、Ｂ社が１０＋１１＝２１となる。
【０１０９】
また、表２において、３日目以降は、１日につき紛失無しでＢ社が１０枚借りて１０枚Ａ社に返却する移動を２８日間繰り返したとすると、その２８日分の累積カウントはＡ社が１０８×２８＝３０２４、Ｂ社が１２×２８＝３３６となる。
【０１１０】
このため３０日分（１ヶ月とみなす）の累積カウントは、Ａ社が２１７＋３０２４＝３２４１、Ｂ社が２１＋３３６＝３５７となる。したがって物流機材管理システムの借用料金配分（比率）は、Ａ社が３２４１÷（３２４１＋３５７）≒９０％、Ｂ社が３５７÷（３２４１＋３５７）≒１０％となる（図２のステップＳ６２で算出される）。
【０１１１】
この表２のように、パレットを紛失した（３０日間で２枚紛失した）Ｂ社の物流機材管理システムの借用料金配分（比率）は、紛失しなかった表１の場合に比べて８．３３％→約１０％に増加（逆にＡ社の前記配分（比率）は９１．６６％→約９０％に減少）しており、パレットの紛失状況が前記借用料金配分に明確に反映されていることがわかる。
【０１１２】
この紛失を見つけ出し返さなければ、次の月のスタートの在庫（表２の（１））がＡ社９８枚、Ｂ社２枚からスタートすることになり、その後紛失がなく、前記と同様のことを繰り返したと仮定しても１日のカウントはそれぞれＡ社が１０８、Ｂ社が１２であるから、Ａ社とＢ社の１ヶ月の配分比率は９０％と１０％とになり、紛失分を見つけ出して返却するまで続く。
【０１１３】
またパレットの紛失のみならず、Ａ社の在庫管理端末３における、怠慢又は不正確な管理に起因するデータ入力のミス等があった場合も、そのことが前記借用料金配分に反映されるので、パレットの紛失や不正確な管理を抑止する力となる。
【０１１４】
（実施例２）
次に管理システム借用会社１０に、パレット１の枚数を計数する個数検出手段を備えた実施例を図３とともに説明する。
【０１１５】
パレット１には、ＲＦＩＤタグ２１が各々装着されている。このＲＦＩＤタグ２１は、内蔵のアンテナと、該アンテナに接続され、管理対象物品（この場合はパレット１）に関する情報が記憶されたＩＣチップ（図示省略）とを備えている。
【０１１６】
図３（ａ）において、例えばＡ社の倉庫の入り口等には、支持部材２２に取り付けたアンテナ２３が設置されている。このアンテナ２３は、ＲＦＩＤ用のリーダーユニット（リーダー／ライター；読み取り・書き込み装置）２４を介して在庫管理端末３に接続されている。
【０１１７】
前記アンテナ２３付近を所定の搬送手段により搬送されるパレット１の枚数データを、リーダーユニット２４で読み取って、在庫管理端末３に自動入力する。
【０１１８】
また、図３（ｂ）のように、Ａ社の工場出口に図３（ａ）と同様にアンテナ２３、リーダーユニット２４を設置し、部品２を積載したパレット１の枚数データを読み取って前記端末３に自動入力することもできる。
【０１１９】
このようにＲＦＩＤタグ２１、アンテナ２３、リーダーユニット２４を用いることにより、パレット１の借用数および返却数の各データを在庫管理端末３に自動的に入力することができる。これによって人為的な入力ミス等が無くなり、正確なデータを入力することができる。
【０１２０】
また個数検出手段としては、ＲＦＩＤタグ２１の他にバーコード等を用いてもよい。
【０１２１】
（実施例３）
次に物流機材貸し出し側管理手段であるＡ社の工場が複数、例えばイ工場、ロ工場の２ヶ所ある場合の実施例を図４とともに説明する。図４において図１と同一部分は同一符号をもって示している。
【０１２２】
Ａ社イ工場には在庫管理端末３ａａが、Ａ社ロ工場には在庫管理端末３ａｂが各々設置され、それらはインターネット４を介してサーバー５１に接続されている。
【０１２３】
図４において、在庫管理端末３ａａ，３ａｂおよびサーバー５１の処理は図２と同様に行われるが、物流機材管理システムの借用料金配分の算出方法については次の２通りの処理が行われる。
【０１２４】
まず在庫計算、使用カウント計算、累積計算は、Ａ社イ工場、Ａ社ロ工場、Ｂ社、Ｃ社について各々計算するので、全体累積カウントＮはＮ＝イ＋ロ＋Ｂ＋Ｃとなる。そして会社単位で借用料金配分を算出する場合の配分比率ＲA社、ＲB社、ＲC社は、
ＲA社＝（イ＋ロ）／Ｎ×１００（％）、
ＲB社＝Ｂ／Ｎ×１００（％）、
ＲC社＝Ｃ／Ｎ×１００（％）      …（４）
となる。
【０１２５】
これに対し、Ａ社が工場別管理を行う場合の配分比率Ｒイ工場、Ｒロ工場…は、
Ｒイ工場＝イ／Ｎ×１００（％）、
Ｒロ工場＝ロ／Ｎ×１００（％）、
・
・
・                          …（５）
となる。
【０１２６】
この場合、Ａ社の資産管理であるが、管理が悪い工場の方が費用負担の割合（配分比率）が多くなるという特徴を持つ。
【０１２７】
（実施例４）
次に、物流機材貸し出し側管理手段であるＡ社が、予備在庫用物流機材貸し出し管理手段としてのデポジット（以下、Ａ社デポと称する）を有した実施例を図５とともに説明する。
【０１２８】
図５において図１と同一部分は同一符号をもって示している。３DはＡ社デポに設けられた在庫管理端末であり、該端末３Dはインターネット４を介してサーバー５１に接続されている。
【０１２９】
前記図１の構成において不都合が生じる可能性としては、物流機材（パレット１）の安全在庫と、生産減により余った物流機材の在庫である。すなわち、１００枚あれば丁度流通する物流機材であっても、Ａ社は安全を見て例えば１２０枚用意したとすると、Ａ社は流通していない（在庫となっている）２０枚分相当のカウントを余分に計算されることになる。
【０１３０】
また部品、製品の生産が落ち込み、５０枚で流通するようになると、流通しない（在庫となっている）７０枚分に相当するカウントがＡ社に発生することになる。
その対応として図５のように、Ａ社の管理下にＡ社デポを設け、Ａ社もデポから借りるという構成にする。
【０１３１】
図５において、まず図示（１）のようにＢ，Ｃ社は空パレット１の借用をＡ社のデポから行う。借用にあたり、会社名と枚数をＡ社デポにある在庫管理端末３Dで登録する。在庫管理端末３Dは登録された日時、端末番号等のデータを加えてサーバー５１に送る。
【０１３２】
次に図示（２）、（３）のように、Ｂ，Ｃ社は持ち帰ったパレット１に部品２を載せ、Ａ社に納品する。この時に、Ａ社の在庫管理端末３で会社名と返却した枚数を登録する。このことで返却が確認され責任がなくなる。
【０１３３】
Ａ社は部品２の載ったパレット１を受け取ったことにより、パレット１を利用している。このことが前記端末３のデータにより登録される。Ａ社はパレット一の部品２を使用すればパレット１が空くので空パレット１をＡ社デポに返却する（図示（４））。このときＡ社はＡ社デポの在庫管理端末３Dによって返却枚数を登録する。
【０１３４】
これらのパレット１の移動データを受けたサーバー５１は、前記図２と同様に物流機材管理システムの借用料金配分比率を算出するが、次の点が相違する。
【０１３５】
すなわち、Ａ社デポのパレットの貸し出し枚数、返却枚数および在庫数のデータは求めるが、Ａ社デポの前記カウント数および累積カウント数は算出しない。
【０１３６】
これによって、Ａ社は実際の使用枚数が費用配分（配分比率）に反映されるので、負担が少なくなるとともに余裕のある在庫枚数を持てることになる。
【０１３７】
Ａ社デポの在庫は、使用枚数の変動の予備分のような、使用するチャンスは少ないが持っていなくてはならない枚数を含んでいるので、本実施例ではその分を費用配分から除けることとなる。
【０１３８】
（実施例５）
次に物流機材貸し出し側管理手段であるＡ社と物流機材借用側管理手段であるＢ社、Ｃ社との間に輸送会社３０が存在する場合の実施例を図６とともに説明する。図６において図１と同一部分は同一符号をもって示している。
【０１３９】
図６において、Ａ社、Ｂ社、Ｃ社には在庫管理端末３ａ、３ｂ、３ｃが各々設けられており、これら端末３ａ〜３ｃはインターネット４を介してサーバー５１に接続されている。
【０１４０】
また前記端末３ａ〜３ｃおよびサーバー５１の処理は図２と同様に行われる。
【０１４１】
輸送会社３０がパレットを使用せず運んでいるときにパレットを使うことにより積み下ろしの時間短縮になり効率化が図られる、そのために使用する場合があるが、その場合はＡ社と同じく輸送会社に管理機を置き費用を分担してもらえばよい。
【０１４２】
しかし、一般的に輸送会社３０は荷を運ぶのでその荷がパレットの上に載っているかいないかは関与できない。しかし、輸送会社３０が物流機材（パレット１）を紛失しないように管理するために、本発明のシステムを使うことは効果があるが、配分カウントに基づく費用負担を求めるかどうかは輸送契約との関係になる。
【０１４３】
図６において、まず輸送会社３０は図示（１ａ）のように、空パレット１をＡ社から搬出し、該空パレット１を図示（１ｂ）のようにＢ、Ｃ社に搬入する。
【０１４４】
前記搬出時（１ａ）はＡ社の在庫管理端末３ａによって会社名と枚数の登録を行い、該端末３ａは登録された日時、端末番号等のデータを加えサーバー５１に送る。また前記搬入時（１ｂ）はＢ，Ｃ社の在庫管理端末３ｂ，３ｃによって会社名と枚数の登録を行い、該端末３ｂ、３ｃは登録された日時、端末番号等のデータを加えサーバー５１に送る。
【０１４５】
次に輸送会社３０は図示（２ａ）のように、パレット１に部品２を載せて搬出し、該部品２を載せたパレット１を図示（２ｂ）のようにＡ社に搬入する。
【０１４６】
前記搬出時（２ａ）はＢ，Ｃ社の在庫管理端末３ｂ，３ｃによって会社名と枚数の登録を行い、該端末３ｂ，３ｃは登録された日時、端末番号等のデータを加えサーバー５１に送る。また前記搬入時（２ｂ）はＡ社の在庫管理端末３ａによって会社名と枚数の登録を行い、該端末３ａは登録された日時、端末番号等のデータを加えサーバー５１に送る。
【０１４７】
図６の構成によれば、Ａ社とＢ、Ｃ社に在庫管理端末３ａ〜３ｃがあるので輸送会社３０の在庫が明確になる。そのため、輸送会社３０の費用配分カウントも計算され、輸送会社３０に費用負担を求める方式を実施するなら、配分カウントに対応した費用負担を求めればよい。
【０１４８】
また、輸送会社３０がＡ社とＢ，Ｃ社間をただ運ぶだけであるから費用負担を求めないという方式を実施するなら、前記図５のＡ社デポで計算したと同様の方法で、輸送会社３０の配分カウントは計算するが、配分比率を算出するときに輸送会社分を除いて計算すればよい。
【０１４９】
（実施例６）
次にデータ照会確認システムを設けた実施例を図７、図８と共に説明する。図７において図１と同一部分は同一符号をもって示している。
【０１５０】
図７において４０は、インターネット４に接続され、管理対象物（物流機材；パレット等）の受け渡し管理とデータ伝送を行う専用のパソコン（データ照会確認システム）である。
【０１５１】
前記受け渡しのデータはリアルタイムにインターネット４を介してサーバー５１に送られる。サーバー５１で管理しているデータの一覧や、過去のデータ確認や管理対象物の稼動状態等のデータはパソコン４０からインターネット４を通じサーバー５１から引き出すことができる。
【０１５２】
パソコン４０でのデータ閲覧のフローチャートを図８に示す。まずステップＳ７１においてインターネット４に接続してサーバー５１にアクセスし、ステップＳ７２においてＩＤ，パスワードにより認証し、ステップＳ７３において閲覧画面を選択表示し、ステップＳ７４においてデータを呼び出して表示し、ステップＳ７５において処理を終了しサーバー５１を切断する。
【０１５３】
本実施例によれば、パレット１の在庫数を確認することができる。
【０１５４】
尚本発明は、パレット１に限らず、容器、部品箱、電子伝票等の物流機材に適用することができる。
【図面の簡単な説明】
【０１５５】
【図１】本発明の一実施形態例を示すシステム構成図。
【図２】本発明の一実施形態例のシステムの処理手順を示すフローチャート。
【図３】本発明の実施形態例における個数検出手段の例を示す構成図。
【図４】本発明の他の実施形態例を示すシステム構成図。
【図５】本発明の他の実施形態例を示すシステム構成図。
【図６】本発明の他の実施形態例を示すシステム構成図。
【図７】本発明の他の実施形態例を示すシステム構成図。
【図８】図７の実施例におけるデータ閲覧の処理を示すフローチャート。
【図９】従来の在庫管理システムの一例を示すシステム構成図。
【図１０】従来の在庫管理システムの処理手順を示すフローチャート。
【符号の説明】
【０１５６】
１…パレット、２…部品、３，３ａ，３ａａ，３ａｂ，３ｂ、３ｃ、３D…在庫管理端末、４…インターネット、１０…管理システム借用会社、２１…ＲＦＩＤタグ、２２…支持部材、２３…アンテナ、２４…リーダーユニット、３０…輸送会社、４０…パソコン、５０…管理システム貸し出し会社、５１…サーバー。
【図１】
2008242695.tif 000005
【図２】
2008242695.tif 000006
【図３】
2008242695.tif 000007
【図４】
2008242695.tif 000008
【図５】
2008242695.tif 000009
【図６】
2008242695.tif 000010
【図７】
2008242695.tif 000011
【図８】
2008242695.tif 000012
【図９】
2008242695.tif 000013
【図１０】
2008242695.tif 000014